(57)【要約】【課題】ハイヒールの靴底に装着することによって、足裏が靴底に対して前方にずれることを効果的に抑制できるインソールを提供すること。【解決手段】このインソール１０は、可撓性材料からなる。インソール１０の上面には、踵前隆起部１１が設けられる。踵前隆起部１１は、足の踵部の前側部分に当接するように、且つ、インソール１０の横方向の両端部間を連続して横断するように隆起した隆起部である。インソール１０には、踵周囲隆起部１２、内側縦アーチ隆起部１３、外側縦アーチ隆起部１４、及び、前側横アーチ隆起部１５も設けられているが、踵前隆起部１１は、これらの隆起部とは孤立している。インソール１０における「隆起部が形成されていない全ての部分」の厚さは２ｍｍ以下と極めて薄い。従って、インソール１０における「足の踵部の荷重を受ける部分」（＝隆起部が形成されていない部分）も極めて薄い。【選択図】図３
2017023306.tif 000002
【特許請求の範囲】
【請求項１】
可撓性材料からなるインソールであって、
前記インソールの上面に、足の踵部の前側部分に当接するように、且つ、前記インソールの横方向の両端部間を連続して横断するように隆起した踵前隆起部を備え、
前記インソールにおける前記踵前隆起部の後側であって足の踵部の荷重を受ける部分の最小厚さが２ｍｍ以下である、インソール。
【請求項２】
請求項１に記載のインソールにおいて、
前記インソールを上方からみたとき、前記踵前隆起部は、前記横方向の中央部分が前側に突出するように湾曲した形状を有する、インソール。
【請求項３】
請求項１又は請求項２に記載のインソールであって、
前記インソールの上面の後端部周縁に、他の隆起部とは孤立して、足の踵部の周囲を取り囲むように隆起した踵周囲隆起部を備えた、インソール。
【請求項４】
請求項１乃至請求項３の何れか一項に記載のインソールであって、
前記インソールの上面に、他の隆起部とは孤立して、足裏のアーチ部を構成する内側縦アーチ部と当接するように隆起した内側縦アーチ隆起部、前記足裏のアーチ部を構成する外側縦アーチ部と当接するように隆起した外側縦アーチ隆起部、及び、前記足裏のアーチ部を構成する前側横アーチ部と当接するように隆起した前側横アーチ隆起部、のうちの１つ以上の隆起部を備えた、インソール。
【請求項５】
請求項１乃至請求項４の何れか一項に記載のインソールにおいて、
前記インソールにおける前記各隆起部が形成されている部分の最大厚さが３ｍｍより大きく、前記インソールにおける前記隆起部が形成されていない全ての部分の厚さが２ｍｍ以下である、インソール。
【請求項６】
請求項１乃至請求項５の何れか一項に記載のインソールにおいて、
前記インソールの全体が単一の前記可撓性材料によって一体に形成された、インソール。
【請求項７】
請求項１乃至請求項５の何れか一項に記載のインソールにおいて、
全ての部分の厚さが２ｍｍ以下で一定であり、且つ、前記各隆起部が形成されている部分の下面には対応する前記隆起部の隆起形状に対応する形状の窪みが形成された、前記可撓性材料からなるインソール本体と、
前記インソール本体の下面の前記各窪みに接合された、対応する前記隆起部の隆起形状を有する１つ又は複数の隆起部材と、
を備えたインソール。
【請求項８】
請求項７に記載のインソールにおいて、
前記各隆起部材は、前記インソール本体を構成する前記可撓性材料より可撓性が小さい材料からなる、インソール。
【請求項９】
請求項１乃至請求項８の何れか一項に記載のインソールにおいて、
前記インソールにおける足の踵部に対応する部分の下面が、前記インソールにおける足の爪先部に対応する部分の下面に対して、４０ｍｍ以上高い位置にある、インソール。
【発明の詳細な説明】
【技術分野】
【０００１】
本発明は、インソールに関する。「インソール」とは、「履物用の中敷きパッド」を指す。
【背景技術】
【０００２】
従来より、履物内部の脱臭作用の発揮に加え、「履き心地」及び「歩き心地」の向上、並びに、足の骨格矯正等を目的として、種々のインソールが開発されてきている（例えば、特許文献１、２を参照）。
【先行技術文献】
【特許文献】
【０００３】
【特許文献１】特許第５３１９１７９号公報
【特許文献１】特許第５３９０８３４号公報
【発明の概要】
【０００４】
以下、本明細書では、ヒール高さ（足の爪先部が接触する面と、足の踵部が接触する面と、の高低差）が４０ｍｍ以上の履物を「ハイヒール」と定義する。なお、ハイヒールのうち「履き口である足の甲部分が大きく開き、且つ、足の爪先部及び踵部の少なくとも一方が覆われたもの」を、特に、「パンプス」と呼ぶこともある。
【０００５】
近年、特に婦人靴として、ハイヒールの人気が高まってきている。一般に、ハイヒールを履く場合、足の踵部が足の爪先部に対して高い位置にあるため、足裏が靴底に対して前方にずれ易い。足裏が靴底に対して前方にずれると、「ハイヒールにおける爪先部の周囲を覆う部分」と「足の爪先部」との間の接触圧力が増大し易い。この結果、足の爪先部に痛みが生じ易いなどの種々の問題が生じ得る。
【０００６】
本発明者は、この問題に対処するため、ハイヒール用のインソールについて、種々の研究・実験を行った。その結果、本発明者は、ハイヒールの靴底に装着することによって、足裏が靴底に対して前方にずれることを効果的に抑制できるインソールの開発に成功した。
【０００７】
即ち、本発明の目的は、ハイヒールの靴底に装着することによって、足裏が靴底に対して前方にずれることを効果的に抑制できるインソールを提供することにある。
【０００８】
本発明に係る「可撓性材料からなるインソール」の特徴は、「前記インソールの上面に、足の踵部の前側部分に当接するように、且つ、前記インソールの横方向の両端部間を連続して横断するように隆起した踵前隆起部を備えた」点（特徴１）、並びに、「前記インソールにおける前記踵前隆起部の後側であって足の踵部の荷重を受ける部分の最小厚さが２ｍｍ以下である」点（特徴２）にある。
【０００９】
上記特徴１によれば、本発明に係るインソールをハイヒールの靴底に装着した状態にてハイヒールを履くと、足の踵部の前側部分が「踵前隆起部」に当接する。従って、足裏が靴底に対して前方にずれようとしても、足の踵部の前側部分が「踵前隆起部」からこの「ずれ」を阻害する方向の力（後向きの力）を受け得る。この結果、足裏が靴底に対して前方にずれることが効果的に抑制され得る。
【００１０】
加えて、上記特徴２によれば、インソールにおける「足の踵部の荷重を受ける部分」（厚さが２ｍｍ以下）が非常に薄い。通常、ハイヒールにおける足の踵部の周囲を覆う部分の高さは低い。従って、「足の踵部の荷重を受ける部分」が厚い（例えば、厚さが５ｍｍ以上の）インソールを装着したハイヒールを履くと、足の踵部が靴底から浮いた状態に見え易くなることによって、見栄えが悪くなる、という問題が生じ得る。この点、上記のように、「足の踵部の荷重を受ける部分」が非常に薄い本発明に係るインソールを装着したハイヒールを履いた場合、足の踵部が靴底から浮いた状態には見え難くなる。この結果、見栄えが悪くなるという問題が発生し難い。
【００１１】
上記本発明に係る可撓性材料からなるインソールでは、ハイヒールの靴底の湾曲した形状に沿うように、足の踵部に対応する部分の下面が、足の爪先部に対応する部分の下面に対して、４０ｍｍ以上高い位置にあることが好適であるが、インソールの下面の全体が平坦（即ち、足の踵部に対応する部分の下面と、足の爪先部に対応する部分の下面と、の高低差がゼロ）であってもよい。インソールの下面の全体が平坦である場合であっても、インソールが可撓性材料で構成されているので、インソールをハイヒールの靴底の湾曲した形状に沿うように撓ませた状態で使用することができる。
【００１２】
上記本発明に係るインソールでは、前記インソールを上方からみたとき、前記踵前隆起部が、横方向に直線状に延びる形状、又は、前記横方向の中央部分が後側に突出するように湾曲した形状を有していてもよいが、前記踵前隆起部が、前記横方向の中央部分が前側に突出するように湾曲した形状を有することが好適である。
【００１３】
人の足を上方からみたとき、足の踵部の前側部分は、横方向の中央部分が前側に突出するように湾曲した形状を有している。従って、上記構成によれば、上方からみたときの「踵前隆起部」の形状を、上方からみたときの足の踵部の前側部分の形状に近づけることができる。これにより、足の踵部の前側部分と「踵前隆起部」との接触面積が広くなり、接触面圧を下げることができる。この結果、足の踵部の前側部分に痛みが生じ難くなる。
【００１４】
上記本発明に係るインソールの上面には、「踵前隆起部」以外にも、種々の隆起部が、他の隆起部とは孤立して設けられていてもよい。具体的には、例えば、「足の踵部の周囲を取り囲むように隆起した踵周囲隆起部」、「足裏のアーチ部を構成する内側縦アーチ部と当接するように隆起した内側縦アーチ隆起部」、「足裏のアーチ部を構成する外側縦アーチ部と当接するように隆起した外側縦アーチ隆起部」、及び、「足裏のアーチ部を構成する前側横アーチ部と当接するように隆起した前側横アーチ隆起部」のうちの１つ以上の隆起部が設けられ得る。
【００１５】
上記本発明に係るインソールでは、前記インソールにおける前記各隆起部が形成されている部分の最大厚さが４ｍｍより大きく、前記インソールにおける前記隆起部が形成されていない全ての部分の厚さが２ｍｍ以下であることが好適である。
【００１６】
これによれば、インソールにおける前記隆起部が形成されていない部分（厚さが２ｍｍ以下）が全域に亘って極めて薄い。従って、このインソールを装着したハイヒールを履いた場合、足の踵部のみならず足裏の全域が靴底から浮いた状態には見え難くなる。この結果、見栄えがより一層良くなる。
【００１７】
上記本発明に係るインソールの全体は、単一の前記可撓性材料によって一体に形成され得る。或いは、上記本発明に係るインソールは、「インソール本体」と「隆起部材」とで構成され得る。「インソール本体」とは、「全ての部分の厚さが２ｍｍ以下で一定であり、且つ、前記各隆起部が形成されている部分の下面には対応する前記隆起部の隆起形状に対応する形状の窪みが形成された、前記可撓性材料からなる部材」である。「隆起部材」とは、「前記インソール本体の下面の前記各窪みに接合された、対応する前記隆起部の隆起形状を有する部材」である。
【００１８】
前記隆起部材は、前記インソール本体を構成する前記可撓性材料より可撓性が小さい（即ち、硬い、又は、気泡率が小さい）材料からなることが好適である。前記隆起部材は、可撓性材料で構成されていても、それ以外の材料で構成されていてもよい。前記隆起部材は、前記インソール本体の下面の前記窪みに、脱着可能に、又は、脱着不能に接合され得る。
【図面の簡単な説明】
【００１９】
【図１】本発明の実施形態に係るインソールの全体の斜視図である。
【図２】図１に示すインソールをハイヒールの靴底に装着した状態を示す斜視図である。
【図３】図１に示すインソールの上面図である。
【図４】図１に示すインソールの左側面図である。
【図５】図３のＡ−Ａ断面図、Ｂ−Ｂ断面図、Ｃ−Ｃ断面図、Ｄ−Ｄ断面図、及び、Ｅ−Ｅ断面図である。
【図６】足裏のアーチ部を構成する、内側縦アーチ部、外側縦アーチ部、及び、前側横アーチ部を説明するための図である。
【図７】図１に示すインソールの変形例に係るインソールの図５に対応する図である。
【発明を実施するための形態】
【００２０】
以下、本発明の実施形態であるインソール１０について図面を参照しつつ説明する。
【００２１】
（形状）
図１に示すように、インソール１０は、ハイヒール用であるため、ハイヒールの靴底の湾曲した形状に沿うように、足の踵部（図６を参照）に対応する部分の下面が足の爪先部（図６を参照）に対応する部分の下面に対して高い位置にある。図２は、インソール１０をハイヒールの靴底に装着した状態を示す斜視図である（ハイヒールにおける足の周囲を覆う部分の記載は省略してある）。なお、インソール１０は、左足用であるが、右足用のインソールは、インソール１０に対して横方向に対称の形状を有している。
【００２２】
インソール１０の全体は、単一の可撓性材料によって一体に形成されている。このため、インソールの下面の全体が平坦な形状を有していてもよい。この場合、インソールをハイヒールの靴底の湾曲した形状に沿うように撓ませることによって、ハイヒール用として使用することができる。
【００２３】
図３〜図５に示すように、インソール１０の上面には、踵前隆起部１１、踵周囲隆起部１２、内側縦アーチ隆起部１３、外側縦アーチ隆起部１４、及び、前側横アーチ隆起部１５が設けられている。各隆起部はそれぞれ、他の隆起部と孤立している。踵前隆起部１１は必須であるが、それ以外の隆起部はなくてもよい。
【００２４】
インソール１０における「隆起部」が形成されていない全ての部分の厚さ（図４及び図５の寸法Ｔを参照）は、２ｍｍ以下で一定である。インソール１０における足の踵部に対応する部分の下面と、インソール１０における足の爪先部に対応する部分の下面と、の高低差（図４の寸法Ｈを参照）は、４０ｍｍ以上である。
【００２５】
以下、ある隆起部の「隆起高さ」を、「隆起部が形成されていない部分の上面からその隆起部が突出する高さの最大値」と定義し、上面のある箇所における「厚さ」を、「上面のその箇所を通り且つ下面に垂直な直線におけるインソールの内部に対応する範囲の長さ」と定義する。
【００２６】
踵前隆起部１１は、足の踵部の前側部分に当接するように、且つ、インソール１０の横方向の両端部間を連続して横断する隆起部である。図３から理解できるように、インソール１０を上方からみたとき、踵前隆起部１１は、横方向の中央部分が前側に突出するように湾曲した形状を有している。踵前隆起部１１の隆起高さは２ｍｍより大きい。インソール１０における踵前隆起部１１が形成されている部分の最大厚さは３ｍｍより大きい。
【００２７】
踵前隆起部１１の後側にある「足の踵部の荷重を（最も）受ける部分」（図３の点Ｐ付近を参照）は、「隆起部」が形成されていない部分に相当する。従って、「足の踵部の荷重を受ける部分」の最小厚さは、２ｍｍ以下である。
【００２８】
踵周囲隆起部１２は、インソール１０の上面の後端部周縁に、足の踵部の周囲を取り囲むように隆起した隆起部である。踵周囲隆起部１２の隆起高さは２ｍｍより大きい。インソール１０における踵周囲隆起部１２が形成されている部分の最大厚さは３ｍｍより大きい。
【００２９】
内側縦アーチ隆起部１３は、足裏のアーチ部を構成する内側縦アーチ部（図６を参照）と当接するように隆起した隆起部である。内側縦アーチ隆起部１３の隆起高さは４ｍｍより大きい。インソール１０における内側縦アーチ隆起部１３が形成されている部分の最大厚さは３ｍｍより大きい。
【００３０】
外側縦アーチ隆起部１４は、足裏のアーチ部を構成する外側縦アーチ部（図６を参照）と当接するように隆起した隆起部である。外側縦アーチ隆起部１４の隆起高さは２ｍｍより大きい。インソール１０における外側縦アーチ隆起部１４が形成されている部分の最大厚さは３ｍｍより大きい。
【００３１】
前側横アーチ隆起部１５は、足裏のアーチ部を構成する前側横アーチ部（図６を参照）と当接するように隆起した隆起部である。前側横アーチ隆起部１５の隆起高さは２ｍｍより大きい。インソール１０における前側横アーチ隆起部１５が形成されている部分の最大厚さは３ｍｍより大きい。
【００３２】
（材質）
上述のように、インソール１０の全体は、単一の可撓性材料で構成されている。可撓性材料としては、典型的には、ＥＶＡ樹脂（エチレン・酢酸ビニル共重合樹脂）が挙げられる。その他、ラバー、ポリウレタン、ポリエチレン等が挙げられる。また、緩衝性が高い発泡性素材からなることが好ましい。発泡素材の気泡率（全体積に対する、多数の気泡が占める体積の総和の割合）は限定されない。
【００３３】
（製造方法）
インソール１０の製造方法としては、切削加工、型成形、その他の周知の加工方法が任意に選択され得る。特に、切削加工の場合、各個人の足裏の三次元形状や荷重分布等を測定し、それらの測定データを利用して各個人専用のインソール（所謂、カスタムインソール）を作成することができる。
【００３４】
切削加工によってカスタムインソールを作成する手順の一例は以下のとおりである。先ず、カスタムインソールの作成を希望されるお客様が既に使用している履物に使用されているインソールをその履物から取り出し、そのインソールから、カスタムインソールの作成に必要となる各種寸法等を事前に測定・記憶しておく。
【００３５】
次に、そのお客様に、履物を脱いだ状態で「足裏の三次元形状や荷重分布等を測定する機械」の上に乗ってもらい、そのお客様の足裏の三次元形状及び荷重分布等を測定・記憶する。続いて、測定・記憶された足裏の三次元形状や荷重分布等を表すデータを利用して、専用のソフト等を用いて、そのお客様専用のカスタムインソールを設計する。
【００３６】
次に、専用のソフト等を利用して、設計されたカスタムインソールの三次元形状等に基づいて、インソール用材料の加工用データを作成する。この加工用データを、切削機を制御する制御盤に入力する。そして、切削機に、加工に供されるインソール用材料をセットして、切削機を用いてインソール用材料の切削加工を行う。これにより、カスタムインソールが成形され得る。切削機による切削には、エンドミル等が使用され得る。
【００３７】
カスタムインソールの下面の全体が平坦な場合、インソール用材料の上面側（及び側面側）のみをエンドミル等によって切削加工することによって、カスタムインソールが成形され得る。また、図１に示すインソール１０のように、インソールの下面が屈曲している場合、インソール用材料の上面側、側面側、及び下面側の全てをエンドミル等によって切削加工することによって、カスタムインソールが成形され得る。
【００３８】
（作用・効果）
以下、本発明の実施形態であるインソール１０の作用・効果について述べる。
（１）   
インソール１０の上面には、踵前隆起部１１が設けられている。従って、インソール１０をハイヒールの靴底に装着した状態にてハイヒールを履くと、足の踵部の前側部分が踵前隆起部１１に当接する。従って、足裏が靴底に対して前方にずれようとしても、足の踵部の前側部分が踵前隆起部１１からこの「ずれ」を阻害する方向の力（後向きの力）を受け得る。この結果、足裏が靴底に対して前方にずれることが効果的に抑制され得る。
【００３９】
（２）
インソール１０における「足の踵部の荷重を受ける部分」（図３の点Ｐ付近を参照）の最小厚さが２ｍｍ以下である。従って、インソール１０における「足の踵部の荷重を受ける部分」が非常に薄い。通常、ハイヒールにおける足の踵部の周囲を覆う部分の高さは低い。従って、「足の踵部の荷重を受ける部分」が厚い（例えば、厚さが５ｍｍ以上の）インソールを装着したハイヒールを履くと、足の踵部が靴底から浮いた状態に見え易くなることによって、見栄えが悪くなる。この点、インソール１０では、「足の踵部の荷重を受ける部分」が非常に薄いので、インソール１０を装着したハイヒールを履いた場合、足の踵部が靴底から浮いた状態には見え難くなる。この結果、見栄えが悪くなるという問題が発生し難い。
【００４０】
（３）
インソール１０では、インソール１０を上方からみたとき、踵前隆起部１１が、横方向の中央部分が前側に突出するように湾曲した形状を有している。ここで、人の足を上方からみたとき、足の踵部の前側部分は、横方向の中央部分が前側に突出するように湾曲した形状を有している。従って、この構成によれば、上方からみたときの踵前隆起部１１の形状を、上方からみたときの足の踵部の前側部分の形状に近づけることができる。これにより、足の踵部の前側部分と踵前隆起部１１との接触面積が広くなり、接触面圧を下げることができる。この結果、足の踵部の前側部分に痛みが生じ難くなる。
【００４１】
（４）
インソール１０では、踵周囲隆起部１２が設けられている。従って、インソール１０を装着したハイヒールを履いた場合、足の踵部の全体がより一層サポートされるので、足の踵部の疲労度合が軽減され得る。同様に、インソール１０では、内側縦アーチ隆起部１３、外側縦アーチ隆起部１４、及び、前側横アーチ隆起部１５が設けられている。従って、足裏のアーチ部の全体がより一層サポートされるので、足裏の疲労度合が軽減され得る。
【００４２】
（５）
インソール１０では、種々の「隆起部」が形成されていない部分（厚さが２ｍｍ以下）が全域に亘って極めて薄い。従って、インソール１０を装着したハイヒールを履いた場合、足の踵部のみならず足裏の全域が靴底から浮いた状態には見え難くなる。この結果、見栄えがより一層良くなる。
【００４３】
本発明は上記実施形態に限定されることはなく、本発明の範囲内において種々の変形例を採用することができる。例えば、上記実施形態では、インソール１０の全体が単一の可撓性材料によって一体に形成されており、インソール１０が単層構造のインソールとなっている。これに対し、インソール１０の上面の全域に亘って、インソール１０とは物性（材料の種類、硬さ、気泡率等）が異なる薄膜を接着・積層して、２層構造のインソールを作成してもよい。このとき、この薄膜は、インソール１０を構成する可撓性材料より可撓性が大きい（即ち、柔らかい、又は、気泡率が大きい）材料からなることが好適である。この薄膜は、可撓性材料で構成されていても、それ以外の材料で構成されていてもよい。
【００４４】
また、上記実施形態では、インソール１０の全体が単一の可撓性材料によって一体に形成されているが（図５を参照）、図５に対応する図７に示すように、インソールが、「インソール１０に相当するインソール本体２０」と、「隆起部材２１〜２５」と、で構成され得る。
【００４５】
インソール本体２０では、全ての部分の厚さが２ｍｍ以下で一定である。加えて、隆起部１１〜１５が形成されている部分の下面には対応する隆起部の隆起形状に対応する形状の窪みが形成されている。インソール本体２０は、インソール１０と同様、可撓性材料で構成される。
【００４６】
各隆起部材２１〜２５は、それぞれ、隆起部１１〜１５の隆起形状を有する。各隆起部材２１〜２５は、インソール本体２０の下面の対応する窪みにそれぞれ接合されている。隆起部材２１〜２５をインソール本体２０の下面の対応する窪みにそれぞれ接合することによって、図１〜図５に示すインソール１０と同じ全体形状のインソールが得られる。
【００４７】
隆起部材２１〜２５は、インソール本体２０を構成する可撓性材料より可撓性が小さい（即ち、硬い、又は、気泡率が小さい）材料からなることが好適である。隆起部材２１〜２５は、可撓性材料で構成されていても、それ以外の材料で構成されていてもよい。
【００４８】
隆起部材２１〜２５は、インソール本体２０の下面の前記窪みに、脱着可能に、又は、脱着不能に接合され得る。隆起部材２１〜２５を脱着可能に接合する場合、例えば、インソール本体２０の下面の窪みと、隆起部材２１〜２５の上面（隆起部分）と、にループ−フック式の接着テープ（典型的には、マジックテープ（登録商標））を設ける構造が採用され得る。
【符号の説明】
【００４９】
１０…インソール、１１…踵前隆起部、１２…踵周囲隆起部、１３…内側縦アーチ隆起部、１４…外側縦アーチ隆起部、１５…前側横アーチ隆起部、２０…インソール本体、２１〜２５…隆起部材
【図１】
2017023306.tif 000003
【図２】
2017023306.tif 000004
【図３】
2017023306.tif 000005
【図４】
2017023306.tif 000006
【図５】
2017023306.tif 000007
【図６】
2017023306.tif 000008
【図７】
2017023306.tif 000009